(57)【要約】【課題】指定された範囲で複数の数字を選択し当選金額を決定する所謂数字選択式宝くじにおいて、数字を選択する場合に、狙った数字を選択する手段と、偶然性を利用できる手段とを併用でき、不必要な数字が出ない事、子供からお年寄りまでの家族の遊戯、パーティーなどで利用できる事、等を実現することにある。【解決手段】数字を選択する際、狙った数字を選択する手段と、混合したピンポン玉を取るように偶然性を利用できる手段とを併用できるようにしておくこと、また、ボールには、ほぼ等間隔に個々のボール毎の異なった数字を印刷し、視認性を向上させる事を手段とする。【特許請求の範囲】
【請求項１】
指定された範囲で複数の数字を選択し当選金額を決定する所謂数字選択式宝くじにおいて、その数字を選択する際、狙った数字を選択する手段と、混合したピンポン球様宝くじの数字選択ボールを数字を見ないで取るように偶然性を利用できる手段とを、併用できることを特徴とするピンポン球様の数字選択ボール。
【請求項２】
数字が表示された宝くじの数字選択ボールで、宝くじの数字選択ボールの一部のみに個々のボール毎の異なった数字を印刷し、選択されたボールを置く台がついている事を特徴とする請求項１の数字選択ボール。
【請求項３】
数字が表示されたボールで、宝くじの数字選択ボールであることを明確にする為に、上記ボールの数字を中心に、弾痕に似せた印刷を設け、その周り「ＬＯＴＯ」「ＮＵＭＢＥＲＳ」をランダムに印刷を設けたことを特徴とする請求項１の数字選択ボール。
【請求項４】
「取り消し」「王様」「バツゲーム」が印刷された請求項１の数字選択ボール、及び、数字か印刷されていない請求項１の数字選択ボール。
【発明の詳細な説明】
【技術分野】
【０００１】本発明は、指定された範囲で複数の数字を選択し当選金額を決定する所謂数字選択式宝くじにおいて、その数字を選択する際に使用するピンポン球様の数字選択ボールに関するものである。
【背景技術】
【０００２】従来は、指定された範囲で複数の数字を選択し当選金額を決定する所謂数字選択式宝くじにおいては、数字のランダ厶抽出の方法としては、分厚い本のページによる数字の決定手段、数字の表示された凹みを底板とし上部にガラスを張った箱の中に決定するべき数のボールを入れてゆすってそのボールが入った凹みの数字で決定する手段、等があった。しかし、同時に全数が決定されてしまうため個人の意志を入れる余地が全くない。また、電話帳等のページによる方法は本の厚さで大体のページ数が予測されることや、不必要な数字が出る確率が高いため除外する必要がある、等の問題点があった。カードによる選択はシャッフルする技術が必要であり、子供からお年寄りまでつかみやすく、簡単にランダムな数字を選択する事が困難であった。
【発明が解決しようとする課題】
【０００３】指定された範囲で複数の数字を選択し当選金額を決定する所謂数字選択式宝くじにおいて、数字を選択する場合に、狙った数字を選択する手段と、偶然性を利用できる手段とを併用でき、不必要な数字が出ないこと、子供からお年寄りまでの家族の遊戯、パーティーなど利用が可能であること、等を実現することにある。
【課題を解決するための手段】
【０００４】数字を選択する際、狙った数字を選択する手段と、混合した宝くじの数字選択ボールを取るように偶然性を利用できる手段とを併用できるようにしておくこと、また、数字選択ボールの固有の特徴とし宝くじの数字選択ボールの数字周りに弾痕様の印刷をも設けること、ボールの周りに「ＬＯＴＯ」「ＮＵＭＢＥＲＳ」の文字列をランダムに印刷する等を手段とする。
【発明の効果】
【０００５】本発明の宝くじの数字選択ボールによれば、自分の意志で狙った数字を選択できることや、ランダムに数字を抽出し偶然性を利用した数字の選択が可能になり、その配分も自由に選ぶことができる。また、数個の宝くじの数字選択ボールの紛失や破損に対しても添付の何も印刷されていない宝くじの数字選択ボールまたは、即対応可能であり予備が無くなってしまった場合にもピンポン球で代用できる。更に、数字選択において不必要な数字を選択するようなことがない。ボールの数字周りの印刷には、周囲に銃弾の命中による弾痕であるかのようなイラストを施し「当たり」の印象を強める効果があり、本当の「ＬＯＴＯ」や「ＮＵＭＢＥＲＳ」にビジュアル的に似ているものがあり期待感がもてる。また宝くじの数字選択ボールを袋または箱に入れて揺らすだけで混合するため、シャッフルする技術が必要無く、宝くじの数字選択ボールは握りやすいため小さな子供からお年寄りまで簡単に選択できる。
【発明を実施するための最良の形態】
【０００６】数字を選択する際、狙った数字を選択する手段と、混合した宝くじの数字選択ボールを取るように偶然性を利用できる手段とを併用できるようにしておくこと、また、数字選択ボールの固有の特徴としてボールの数字周りに弾痕様の印刷をも設けること、ボールの周りに「ＬＯＴＯ」「ＮＵＭＢＥＲＳ」の文字列をランダムに印刷する等を手段とする。【０００７】本発明のボールによれば、自分の意志で狙った数字を選択できることや、ランダムに数字を抽出し偶然性を利用した数字の選択が可能になり、その配分も自由に選ぶことができる。また、数個のボールの紛失や破損に対し添付の何も印刷されていない宝くじの数字選択ボールまたは、て予備が無くなってしまった場合にもピンポン球で代用できるも即対応可能である。更に、数字選択において不必要な数字を選択するようなことがない。ボールの数字周りの印刷には、周囲に銃弾の命中による弾痕であるかのようなイラストを施し「当たり」の印象を強める効果がある。また宝くじの数字選択ボールを袋または箱に入れて揺らすだけで混合するため、、シャッフルする技術が必要無いため小さな子供からお年寄りまで簡単に選択できる。
【実施例】
【０００８】本発明の実施例を以下に示すが、請求の範囲は実施例に限定されるものではない。本発明は、所謂ピンポン球ボール様に表面処理したプラスティックのボールの数字及びその他の印刷を有する混合した宝くじの数字選択ボールを必要個数及び宝くじの数字選択ボール設置台を１セットとする。各宝くじの数字選択ボールは表面一部に、０１〜４３までの数字、又は０〜９までの数字を配置して表示するものとする。ボールの数字を中心とする数字周りの印刷３はこ宝くじの数字選択のボールが一般の遊戯用ボールでないことを示すと共に、その印刷の周囲に銃弾の命中による印刷であるかのように弾痕のイラスト２を施し「当たり」の印象を強めるものとし、ボールを使用する事により本当の「ＬＯＴＯ」や「ＮＵＭＢＥＲＳ」とビジュアル的に似ているものがあり期待感がもてる。数字の印刷に際しては「６」と「９」のように上下を明らかにする必要がある為に、数字下辺にアンダーラインを印刷する。セットするボールの個数は、ＬＯＴＯ６で４３個、ＭＩＮＬＯＴＯで３１個ナンバース３及びナンバーズ４用で１０個であるが、用途によりボールの色を分けて区分する。１個でも紛失した時や破損等が発生した時の為に市販のピンポン球と同様な大きさ重さとし、穴及びへこみはないものとする。また、他のゲームでも使用できるように、バツゲーム、王様などを印刷したボールを添付しておくこともできる。また必要に寄り「クイックピック」や「取り消し」も添付しておく事ができる。本発明のボールを使用して数字を選択する場合、通常はボール１組を良く混合して必要個数をランダムに抜き出して数字の選択を行うことになる。しかし、必要個数の内、自分の狙った数字がいくつかある場合は予めその数字のボールを抜き出しておき残りをランダム抽出する方法も採用できる。
その他の遊戯として、あらかじめバツゲームを決めて１人一個ずつとり、バツゲームが印刷されたボールを取った者がバツゲームを行ったり、全員が他人に見せずにボールを取り、王様が印刷されたボールを取った者が取ったボールの数字を指定し、バツゲーム等を命令する遊戯もできる。
パーティーなどではＬＯＴＯ６等の申し込み用紙様の紙に番号を選び、宝くじ数字選択ボールを一つずつ取り上げ、ビンゴゲーム様に遊戯できる。最後の一個のボールを選択した時点で全員当たり、大勢でも遊戯する事もできる。
本発明では以上の遊戯例だけとは限らない。
【産業上の利用可能性】
【０００９】本発明は、指定された範囲で複数の数字を選択し当選金額を決定する所謂数字選択式宝くじにおいて、その数字を選択する際に使用するピンポン球様の数字選択ボールに関するものである。
【図面の簡単な説明】
【００１０】
【図１】  宝くじ数字選択ボールを示した立体図である。
【図２】  宝くじ数字選択ボール設置台を示した立体図である。図は宝くじ数字選択ボールを２個設置した例である。
【符号の説明】
【００１１】（１）は、宝くじ数字選択ボール、（２）は、弾痕のイラスト「、（３）は、数字表示、（４）は、ＬＯＴＯ」「ＮＵＭＢＥＲＳ」のロゴ、（５）は、ボール設置台。
【図１】
2005058707.tif 000002
【図２】
2005058707.tif 000003
【手続補正書】
【提出日】平成16年5月17日(2004.5.17)
【手続補正１】
【補正対象書類名】特許請求の範囲
【補正対象項目名】全文
【補正方法】変更
【補正の内容】
【書類名】    特許請求の範囲【請求項１】指定された範囲で複数の数字を選択し当選金額を決定する所謂数字選択式宝くじにおいて、その数字を選択する際、狙った数字を選択する手段と混合したピンポン玉様宝くじの数字選択ボールを数字を見ないで取るように偶然性を利用できる手段とを、併用できることを特徴とするピンポン玉様の数字選択ボール。【請求項２】数字が表示された宝くじの数字選択ボールで、宝くじの数字選択ボールに、ほぼ等間隔に個々のボール毎の異なった数字を印刷した数字選択ボール。【請求項３】「取り消し」、「王様」、「バツゲーム」、「当り」が印刷された請求項１の数字選択ボール、および、数字又は文字列が印刷されていない請求項１の予備の数字選択ボール。【手続補正２】
【補正対象書類名】明細書
【補正対象項目名】０００４
【補正方法】変更
【補正の内容】
【０００４】数字を選択する際、狙った数字を選択する手段と、混合した宝くじの数字選択ボールを取るように偶然性を利用できる手段とを併用できるようにしておくこと、また、数字選択ボールに、ほぼ等間隔に個々のボール毎の異なった数字を印刷した数字選択ボールを使用する。
【手続補正３】
【補正対象書類名】明細書
【補正対象項目名】０００５
【補正方法】変更
【補正の内容】
【０００５】本発明の宝くじの数字選択ボールによれば、自分の意思で狙った数字を選択できることや、ランダムに数字を抽出し偶然性を利用した数字の選択が可能になり、その配分も自由に選ぶことができる。また、数個の宝くじの数字選択ボールの紛失や破損に対しても添付の何も印刷されていない宝くじの数字選択ボールまたは、即対応可能であり、予備が無くなってしまってもピンポン玉で代用できる。更に数字選択において不必要な数字を選択することが無い。ボールにはほぼ等間隔に個々のボール毎の異なった数字を印刷し、選択したと同時に数字の確認ができるよう、視認性を向上させる効果がある。また宝くじの数字選択ボールを袋または箱に入れて揺らすだけで混合するため、シャッフルする技術が必要なく、宝くじの数字選択ボールは握りやすいため小さな子供からお年寄りまで簡単に選択できる。
【手続補正４】
【補正対象書類名】明細書
【補正対象項目名】０００６
【補正方法】変更
【補正の内容】
【０００６】数字を選択する際、狙った数字を選択する手段と、混合した宝くじの数字選択ボールを取るように偶然性を利用できる手段とを併用できるようにしておくこと、また、ボールには、ほぼ等間隔に個々のボール毎の異なった数字を印刷し、視認性を向上させる事を手段とする。
【手続補正５】
【補正対象書類名】明細書
【補正対象項目名】０００７
【補正方法】変更
【補正の内容】
【０００７】本発明のボールによれば、自分の意思で狙った数字を選択できることや、ランダムに数字を抽出し偶然性を利用した数字の選択が可能になり、その配分も自由に選ぶことができる。また、数個のボールの紛失や破損に対し添付の数字及び文字列が印刷されていない宝くじの数字選択ボールまたは、予備が無くなってしまった場合にもピンポン玉で即対応ができる。さらに、数字選択において不必要な数字を選択するようなことがない。ボールには、ほぼ等間隔に個々のボール毎の異なった数字を印刷し、視認性を向上させる。また、宝くじの数字選択ボールを袋又は箱に入れて揺らすだけで混合するため、シャッフルする技術が必要ないため小さな子供からお年寄りまで簡単に選択できる。
【手続補正６】
【補正対象書類名】明細書
【補正対象項目名】０００８
【補正方法】変更
【補正の内容】
【０００８】本発明の実施例を以下に示すが、請求の範囲は実施例に限定されるものではない。本発明は所謂ピンポン玉ボール様に表面処理したプラスティックのボールの数字及びその他の印刷を有する混合した宝くじの数字選択ボールを必要個数準備する。各宝くじの数字選択ボールは表面に０１〜４３までの数字、又は０〜９までの数字を配置して表示するものとする。ボールの数字を中心とする数字周りの印刷２は、この宝くじの数字選択ボールが一般の遊戯用ボールでない事を示すと共に、ほぼ等間隔に個々のボール毎の異なった数字を印刷し、視認性を向上させる。数字の印刷に際しては「６」と「９」のように上下を明らかにする必要があるために、数字下辺にアンダーラインを印刷する。セットするボールの個数はＬＯＴＯ６で４３個、ＭＩＮＩＬＯＴＯで３１個、ナンバーズ３、及びナンバーズ４用で１０個であるが、用途によりボールの色を分けて区分する。予備の数字選択ボールは、１個でも紛失した時や破損した等が発生した時の為に市販のピンポン玉と同様な大きさ重さとし、穴、及びへこみは無いものとする。また、他のゲームでも使用できるように、バツゲーム、王様、当たりなどを印刷したボールを添付しておくこともできる。また必要により「クイックピック」や「取り消し」も添付しておくこともできる。本発明のボールを使用して数字を選択する場合、通常は１組を良く混合して必要個数をランダムに抜き出し数字の選択を行うことになる。しかし、必要個数の内、自分の狙った数字がいくつかある場合は予めその数字のボールを抜き出しておき残りをランダム抽出する方法も採用できる。その他、遊戯として、あらかじめバツゲームを決めて１人一個ずつとり、バツゲームが印刷されたボールを取ったものがバツゲームを行ったり、全員が他人に見せずボールを取り、王様が印刷されたボールを取った者が取ったボールの数字を指定し、バツゲーム等を命令する遊戯もできる。多くの人の中から一人の優勝者を決める場合、当りが印刷されたボールを使用し、任意にボールを取り、当りのボールを取った者が優勝とする事もできる。パーティーなどではＬＯＴＯ６等の申し込み用紙様の紙に番号を選び、宝くじ数字選択ボールを一つずつ取り上げ、ビンゴゲーム様に遊戯ができる。最後の一個のボールを選択した時点で全員当たり、大勢でも遊戯する事もできる。本発明では以上の遊戯例だけとは限らない。
【手続補正７】
【補正対象書類名】明細書
【補正対象項目名】００１０
【補正方法】変更
【補正の内容】
【００１０】
【図１】宝くじ数字選択ボールを示した立体図である。
【手続補正８】
【補正対象書類名】明細書
【補正対象項目名】００１１
【補正方法】変更
【補正の内容】
【００１１】（１）は宝くじ選択ボール、（２）は数字周りの円、（３）は数字表示。
【手続補正９】
【補正対象書類名】図面
【補正対象項目名】図２
【補正方法】削除
【補正の内容】
【手続補正１０】
【補正対象書類名】図面
【補正対象項目名】図１
【補正方法】変更
【補正の内容】
【図１】
2005058707.tif 000004